(57)【要約】【課題】把持した際の安定性を向上させた包装袋を提供する。【解決手段】包装袋は、一対の側面シート１２と、側面シート１２の間に配置された底面シート１１とからなり、上部に開口を有する袋状に形成された袋本体１０を備える。袋本体１０の下部には、側面シート１２と底面シート１１とを接着してなる下部接着部１３が設けられ、袋本体１０の両側部には、側面シート同士を接着してなる第１側部接着部１４と、第１側部接着部１４の内側に形成される第２側部接着部１５とが設けられている。袋本体１０は、第２側部接着部に沿って、その両側部が互いに接近するように屈曲された屈曲形状とされている。【選択図】図１
2015137124.tif 000002
【特許請求の範囲】
【請求項１】
対向して配置される一対の側面シートと、前記側面シートの間に配置された底面シートとを接着してなる袋本体を備える包装袋であって、
前記袋本体の下部には、前記側面シートと前記底面シートとを接着してなる下部接着部が設けられ、
前記袋本体の両側部には、前記側面シート同士を接着してなる側部接着部が設けられ、
前記袋本体は、前記側部接着部の内側の縁部に沿って、その両側部が互いに接近するように屈曲されていることを特徴とする包装袋。
【請求項２】
前記下部接着部は、折辺が上方を向くように上下に二つ折りにされた前記底面シートを前記側面シートの間に配置した状態として、上下方向において円弧状に凹んだ曲線と前記側面シートの各縁とによって囲まれた領域を接着してなり、
前記側部接着部の内側の縁部は、前記底面シートの前記折辺及び前記下部接着部の上縁に対して異なる二点で交差していることを特徴とする請求項１に記載の包装袋。
【請求項３】
前記側部接着部は、その内側の縁部が前記袋本体の下縁から上縁に向かって内側に傾斜するように形成されていることを特徴とする請求項１又は請求項２に記載の包装袋。
【請求項４】
前記側部接着部は、前記側面シートの側縁に沿って設けられる第１側部接着部と、前記第１側部接着部よりも内側に形成される第２側部接着部とを備え、
前記側部接着部の内側の縁部は、前記第２側部接着部の内側の縁部であることを特徴とする請求項１〜３のいずれか一項に記載の包装袋。
【請求項５】
前記袋本体を屈曲形状にて固定するための固定構成を備えることを特徴とする請求項１〜４のいずれか一項に記載の包装袋。
【発明の詳細な説明】
【技術分野】
【０００１】
本発明は、樹脂シートから形成される包装袋に関する。
【背景技術】
【０００２】
近年、プラスチックボトルやガラス瓶等のボトル容器に代えて、樹脂シートを袋状に形成した包装袋が容器として使用されている。樹脂シートから形成される包装袋は、プラスチックボトルやガラス瓶等のボトル容器に比べて省資源化が可能であり、また使用後に小さく折り畳むことができるため、ごみの減容化にも寄与する。
【０００３】
上記包装袋としては、例えば特許文献１に開示される包装袋が知られている。特許文献１の包装袋は、底面シートと一対の側面シートとからなり、二つ折りにした底面シートを一対の側面シートの間に挟み込ませた状態として、底面シート及び側面シートの各縁部を接着することにより袋状に形成されている。
【先行技術文献】
【特許文献】
【０００４】
【特許文献１】特開２００３−１９１９６４号公報
【発明の概要】
【発明が解決しようとする課題】
【０００５】
ところで、上記包装袋は樹脂シートから形成されていることから、剛性が低く変形させやすいという性質を有する。こうした性質を有する上記包装袋には、廃棄時に空の包装袋を小さく折り畳むことができる等の利点がある一方で、内容物を取り出すために包装袋を把持した際に、包装袋が潰れやすくなって把持状態の安定性が低下するという問題もある。
【０００６】
この発明は、こうした従来の実情に鑑みてなされたものであり、その目的は、把持した際の安定性を向上させた包装袋を提供することにある。
【課題を解決するための手段】
【０００７】
上記の目的を達成するために請求項１に記載の包装袋は、対向して配置される一対の側面シートと、前記側面シートの間に配置された底面シートとを接着してなる袋本体を備える包装袋であって、前記袋本体の下部には、前記側面シートと前記底面シートとを接着してなる下部接着部が設けられ、前記袋本体の両側部には、前記側面シート同士を接着してなる側部接着部が設けられ、前記袋本体は、前記側部接着部の内側の縁部に沿って、その両側部が互いに接近するように屈曲されていることを特徴とする。
【０００８】
上記構成によれば、袋本体部分が上面視において丸められた形状とされることにより、厚さ方向に重なる側面シートの枚数が多くなって、袋本体の厚さ方向の剛性が高められる。これにより、包装袋を把持した際に袋本体が容易に潰れてしまうことが抑制され、一定の反力を感じつつ安定して把持することができるようになる。さらに、袋本体が屈曲形状とされて丸められていることから、掌の中に収まりやすくなって持ちやすくなる。包装袋の持ちやすさが良好となることによっても、包装袋を把持した際の安定性が向上する。
【０００９】
上記包装袋において、前記下部接着部は、折辺が上方を向くように上下に二つ折りにされた前記底面シートを前記側面シートの間に配置した状態として、上下方向において円弧状に凹んだ曲線と前記側面シートの各縁とによって囲まれた領域を接着してなり、前記側部接着部の内側の縁部は、前記底面シートの前記折辺及び前記下部接着部の上縁に対して異なる二点で交差していることが好ましい。
【００１０】
側部接着部の内側の縁部と底面シート１１の折辺との交点は、底面シートを展開させる際に起点となる。一方、側部接着部の内側の縁部と下部接着部１３との交点は、袋本体内に内容物を充填した際に、内容物の重量が集中して作用する部位となる。そのため、これらの各交点が一点で重なる構成であると、袋本体内に内容物を充填して底面シートを展開させた際に、その一点に大きな負荷が集中することになる。これに対して、上記各交点をずらして位置させた場合には、一点に大きな負荷が集中することが抑制される。これにより、袋本体の強度が高められる。
【００１１】
上記包装袋において、前記側部接着部は、その内側の縁部が前記袋本体の下縁から上縁に向かって内側に傾斜するように形成されていることが好ましい。
上記構成によれば、側部接着部の内側の縁部に沿って袋本体を屈曲させた際に、袋本体は、上部側の屈曲度合が大きく、下部側の屈曲度合が小さい略円錐形状となる。これにより、包装袋の自立性が更に向上する。
【００１２】
上記包装袋において、前記側部接着部は、前記側面シートの側縁に沿って設けられる第１側部接着部と、前記第１側部接着部よりも内側に形成される第２側部接着部とを備え、前記側部接着部の内側の縁部は、前記第２側部接着部の内側の縁部であることが好ましい。
【００１３】
上記構成によれば、二つの接着部が間隔をあけて形成されていることから、袋本体の強度が高められる。また、万が一、内側の第２側部接着部が剥離したとしても、その外側に第１側部接着部が存在することによって、袋本体から内容物が漏れることが規制される。
【００１４】
上記包装袋において、前記袋本体を屈曲形状にて固定するための固定構成を備えることが好ましい。
上記構成によれば、袋本体の屈曲形状を安定して維持することができる。
【発明の効果】
【００１５】
本発明の包装袋によれば、把持した際の安定性を向上させることができる。
【図面の簡単な説明】
【００１６】
【図１】（ａ）は包装袋（屈曲形状）の斜視図、（ｂ）は包装袋（非屈曲形状）の正面図。
【図２】包装袋の分解斜視図。
【図３】（ａ），（ｂ）は変更例の包装袋（非屈曲形状）の正面図。
【発明を実施するための形態】
【００１７】
以下、本発明の包装袋を図面に基づいて説明する。
図１に示すように、包装袋は、樹脂シートにより袋状に形成される袋本体１０と、袋本体１０の上部開口に取り付けられる口具２０とを備えている。袋本体１０を構成するシート材としては、包装袋に一般的に用いられる公知の樹脂シート（例えば、ポリエチレン、エチレン−酢酸ビニル共重合体、エチレン−ビニルアルコール共重合体、ポリアミド、及びポリエステル等からなる単層又は多層の樹脂シート）を用いることができる。本実施形態では、シート材として、一方側の表面のみに熱溶着性樹脂からなる熱溶着層を有する樹脂シートを用いている。
【００１８】
図２に示すように、袋本体１０は、折辺Ａが上方を向くように上下に二つ折りにされた横長長方形状の底面シート１１と、その底面シート１１を挟み込むように対向して配置された一対の側面シート１２とを備えている。底面シート１１は、熱溶着層を有する側の面が外面側に位置する（外側を向く）ようにして二つ折りにされている。二つ折りにされた底面シート１１の両側部には、半円形状の切欠部１１ａが設けられている。
【００１９】
一対の側面シート１２は、共に長四角形状に形成され、熱溶着層を有する側の面を向かい合わせるようにして対向配置されている。そして、その側面シート１２の下縁に沿って、底面シート１１が配置されている。底面シート１１及び側面シート１２の左右方向（折辺方向）の長さは等しくなっている。
【００２０】
図１（ｂ）に示すように、袋本体１０の下部、即ち側面シート１２の間に底面シート１１が配置されている部位には、側面シート１２と底面シート１１とを熱溶着してなる下部接着部１３が設けられている。下部接着部１３は、上下方向において円弧状に凹んだ曲線Ｂと側面シート１２の各縁部（左縁、右縁及び下縁）とによって囲まれた領域にて、側面シート１２の内面と底面シート１１の外面とを接着している。
【００２１】
袋本体１０の両側部には、側面シート１２の左右の両側縁に沿って、側面シート１２同士を所定幅で熱溶着してなる第１側部接着部１４が設けられている。第１側部接着部１４は、側面シート１２の間に底面シート１１が挟まれていない部分においては、側面シート１２の内面同士を接着する。そして、側面シート１２の間に底面シート１１が挟まれている部分においては、側面シート１２の内面と底面シート１１の外面とを接着する。なお、底面シート１１の切欠部１１ａにおいては、側面シート１２の内面同士を接着する。
【００２２】
また、袋本体１０の両側部において、第１側部接着部１４よりも内側に位置する部位には、側面シート１２同士を所定幅で熱溶着してなる第２側部接着部１５が設けられている。第２側部接着部１５は、袋本体１０の下縁から上縁へ向かって内側に傾斜するように延びるとともに、その内側の縁部が底面シート１１の折辺Ａ及び下部接着部１３の上縁である曲線Ｂと異なる二点（Ｐ１，Ｐ２）で交差する直線状に形成されている。第２側部接着部１５は、側面シート１２の間に底面シート１１が挟まれていない部分においては、側面シート１２の内面同士を接着する。そして、側面シート１２の間に底面シート１１が挟まれている部分においては、側面シート１２の内面と底面シート１１の外面とを接着する。
【００２３】
袋本体１０の上部には、側面シート１２の上縁に沿って、側面シートの内面同士を所定幅で熱溶着してなる上部接着部１６が設けられている。上部接着部１６の中央部分には、取出口となる口具２０が一体に固定されている。口具２０は内部に流路を形成する筒状の注出部２１と、注出部２１の上部側の開口を塞ぐキャップ２２とから構成されている。口具２０は、注出部２１の下部が側面シート１２間に挟まれるようにして配置され、上部接着部１６において、注出部２１の外周面と側面シート１２の内面とが熱溶着されることによって取り付けられている。
【００２４】
図１（ａ）に示すように、包装袋は、第２側部接着部１５に沿って袋本体１０の両側部を接近させるようにして、袋本体１０を上面視略Ｃ字状に屈曲させた屈曲形状とされている。そして、両側部の第１側部接着部１４同士を超音波溶着により接着してなる接着部１７を設けることによって、袋本体１０の形状が上記屈曲形状にて固定されている。
【００２５】
次に、本実施形態の作用及び効果について説明する。
（１）包装袋は、一対の側面シート１２と、側面シート１２の間に配置された底面シート１１とからなり、上部に開口を有する袋状に形成された袋本体１０を備える。袋本体１０の下部には、側面シート１２と底面シート１１とを接着してなる下部接着部１３が設けられ、袋本体１０の両側部には、側面シート同士を接着してなる第１側部接着部１４と、第１側部接着部１４の内側に形成される第２側部接着部１５とが設けられている。袋本体１０は、第２側部接着部に沿って、その両側部が互いに接近するように屈曲された屈曲形状とされている。
【００２６】
上記屈曲形状とされた包装袋は、袋本体１０部分が上面視において丸められた形状とされることにより、厚さ方向に重なる側面シート１２の枚数が多くなって、袋本体１０の厚さ方向の剛性が高められる。これにより、包装袋を把持した際に袋本体１０が容易に潰れてしまうことが抑制され、一定の反力を感じつつ安定して把持することができるようになる。
【００２７】
また、袋本体１０が非屈曲形状である包装袋と比較して、袋本体１０が屈曲形状とされて丸められた包装袋は、掌の中に収まりやすくなって持ちやすくなる。包装袋の持ちやすさが良好となることによっても、包装袋を把持した際の安定性が向上する。さらには、丸められた形状となることによって、包装袋の自立性も向上する。また、袋本体１０が屈曲形状とされた包装袋は、側面視においてビンのような外観形状となり、意匠性にも優れている。
【００２８】
また、袋本体１０の側部において上下に延びる第２側部接着部１５に沿って袋本体１０を屈曲させていることから、包装袋内に内容物を充填したときに、袋本体１０の屈曲された両側部内に内容物が入り込むことが抑制される。そのため、包装袋から内容物を取り出す際に、屈曲された袋本体１０の両側部に内容物が入り込んで取り出し難くなるという問題が起こり難い。
【００２９】
（２）第２側部接着部１５は、袋本体１０の下縁から上縁へ向かって内側に傾斜して延びるように形成されている。そして、第２側部接着部１５の内側の縁部が、底面シート１１の折辺Ａ及び下部接着部１３の上縁（曲線Ｂ）に対して、異なる二点Ｐ１，Ｐ２で交差するように形成されている。
【００３０】
第２側部接着部１５の内側の縁部は、袋本体１０の側部に設けられる接着部のうちで最も内側に位置する部分である。そのため、第２側部接着部１５の内側の縁部と、底面シート１１の折辺Ａとの交点Ｐ１は、底面シート１１を展開させる際に起点となる。そして、第２側部接着部１５の内側の縁部と、下部接着部１３の上縁（曲線Ｂ）との交点Ｐ２は、袋本体１０内に内容物を充填した際に、内容物の重量が集中して作用する部位となる。
【００３１】
そのため、上記交点Ｐ１，Ｐ２が一点で重なる構成であると、袋本体１０内に内容物を充填して底面シート１１を展開させた際に、その一点に大きな負荷が集中する。これに対して、上記構成によれば、上記交点Ｐ１，Ｐ２をずらして位置させているため、一点に大きな負荷が集中することが抑制される。これにより、袋本体１０の強度が高められる。
【００３２】
（３）第２側部接着部１５を袋本体１０の下縁から上縁へ向かって内側に傾斜する直線状に形成している。上記構成によれば、第２側部接着部１５に沿って袋本体１０を屈曲させた際に、袋本体１０は、上部側の屈曲度合が大きく、下部側の屈曲度合が小さい略円錐形状となる。これにより、包装袋の自立性が更に向上する。
【００３３】
（４）袋本体１０の両側部に、第１側部接着部１４及び第２側部接着部１５という複数の側部接着部を設けている。二つの接着部が間隔をあけて形成されていることにより、袋本体１０の強度が高められる。また、万が一、内側の第２側部接着部１５が剥離したとしても、その外側に第１側部接着部１４が存在することによって、袋本体１０から内容物が漏れることが規制される。
【００３４】
（５）第１側部接着部１４同士を超音波溶着により接着することによって、袋本体１０を屈曲形状に固定している。上記構成によれば、袋本体１０の屈曲形状を安定して維持することができる。
【００３５】
なお、本実施形態は、次のように変更して具体化することも可能である。また、次の変更例を互いに組み合わせ、その組み合わせの構成のように上記実施形態を変更することも可能である。
【００３６】
・  上記実施形態では、第１側部接着部１４同士を超音波溶着により接着することによって、袋本体１０を屈曲形状に固定していたが、袋本体１０を屈曲形状に固定するための固定構成は、これに限定されるものではない。
【００３７】
例えば、袋本体１０の第１側部接着部１４にそれぞれ孔を設けるとともに、その孔同士を環状部材や紐によって結び付けることによって、袋本体１０を屈曲形状に固定する構成としてもよい。また、屈曲形状とされた袋本体１０の周囲にラベルや紐等の部材を巻き付けて袋本体１０を拘束することによって、袋本体１０を屈曲形状に固定する構成としてもよい。また、袋本体１０の第１側部接着部１４に、所定の係合部を有するピラー（補強部材）を取り付けるとともに、上記ピラーに設けられた係合部同士を係合させることによって、袋本体１０を屈曲形状に固定する構成としてもよい。
【００３８】
・  上記実施形態では、第２側部接着部１５全体を、袋本体１０の下縁から上縁へ向かって内側に傾斜するように形成していたが、第２側部接着部１５の内側の縁部のみが袋本体１０の下縁から上縁へ向かって内側に傾斜する形状であってもよい。つまり、第２側部接着部１５を袋本体１０の下縁側から上縁側へ向かって幅広となるように形成する。この場合にも、上記（３）の効果を得ることができる。
【００３９】
・  図３（ａ）に示すように、第２側部接着部１５を、袋本体１０の下縁に対して直角に延びるように形成してもよい。この場合には、屈曲形状とされた袋本体１０は、上下において全て屈曲度合が等しい円柱形状となる。また、第２側部接着部１５を、袋本体１０の下縁から上縁へ向かって外側に傾斜するように形成してもよい。この場合には、屈曲形状とされた袋本体１０は、上部側ほど屈曲度合の小さい略逆円錐形状となる。
【００４０】
・  図３（ｂ）に示すように、第１側部接着部１４と第２側部接着部１５とを一つの側部接着部１４ａとして一体に形成してもよい。この場合、上記側部接着部１４ａの内側の縁部が、上記実施形態における第２側部接着部１５の内側の縁部として機能する。
【００４１】
・  第２側部接着部１５の内側の縁部が、底面シート１１の折辺Ａ及び下部接着部１３の上縁（曲線Ｂ）に対して一点で交差していてもよい。つまり、底面シート１１の折辺Ａと下部接着部１３の上縁（曲線Ｂ）との交点に、交点Ｐ１，Ｐ２が位置するように、第２側部接着部１５を形成してもよい。
【００４２】
また、第２側部接着部１５の内側の縁部が、底面シート１１の折辺Ａ及び下部接着部１３の上縁（曲線Ｂ）に対して交差しない構成としてもよい。つまり、底面シート１１の折辺Ａよりも上側の位置において、第２側部接着部１５の内側の縁部と、第１側部接着部１４の内側の縁部とが交差するように、第２側部接着部１５を形成してもよい。
【００４３】
・  上記実施形態では、袋本体１０を全体的に丸めるようにして屈曲形状としていたが、袋本体１０の両側部を部分的に丸めるようにして、袋本体１０を屈曲形状としてもよい。例えば、図１に示す包装袋において、袋本体１０の両側部を丸めて、各第１側部接着部１４の片側の側面を、第２側部接着部１５の片側の側面に接着等により固定することによって、袋本体１０を屈曲形状に固定してもよい。
【００４４】
・  上記実施形態では、袋本体１０を構成するシート材として樹脂シートを用いたが、樹脂シート以外のシート材、例えば、アルミ箔や紙等をラミネート加工してなるシート材を用いてもよい。
【００４５】
・  口具２０を省略してもよい。例えば、上部接着部１６を袋本体１０の上縁全体に形成して袋本体１０を密閉した状態とし、袋本体１０の一部を切り取ることによって、内容物を取り出し可能な開口部分が露出される構成の包装袋であってもよい。
【符号の説明】
【００４６】
１０…袋本体、１１…底面シート、１２…側面シート、１３…下部接着部、１４…第１側部接着部、１５…第２側部接着部、１６…上部接着部、１７…固定部、２０…口具。
【図１】
2015137124.tif 000003
【図２】
2015137124.tif 000004
【図３】
2015137124.tif 000005